(57)【要約】  患者監視システムが、患者生理学的センサ２８を介して患者データを取得する患者データ取得システム１２を含む。第１の患者モニタディスプレイ１６及び第１のオーディオシステム１８が、患者室の内部に配置される。第２の患者モニタディスプレイ２０及びオーディオシステム２２が、患者室の外側に配置される。制御システム１４は、取得された患者データを、第１の患者モニタディスプレイ及び第２の患者モニタディスプレイの少なくとも１つを介して出力し、取得された患者データに少なくとも部分的に基づき生成された患者オーディオモニタ信号６０を、第１及び第２のオーディオシステム１８、２２の少なくとも１つを使用して出力する。制御システム１４は、第１のオーディオシステム１８を作動させるための第１のオーディオ構成４２と、第２のオーディオシステム２２を作動させるための第２のオーディオ構成４４とを提供する。
2018513718.tif 000002
【特許請求の範囲】
【請求項１】
患者を監視する患者監視システムであって、
複数の患者の生理学的センサを介して患者データを取得する患者データ取得システムと、
患者室の内部に配置される第１の患者モニタディスプレイと、
前記患者室の外側に配置される第２の患者モニタディスプレイと、
前記患者室の内部の前記第１の患者モニタと共に配置される第１のオーディオシステムと、
前記患者室の外部の前記第２の患者モニタと共に配置される第２のオーディオシステムと、
前記患者データ取得システムにより取得された患者データを、前記第１の患者モニタディスプレイ及び前記第２の患者モニタディスプレイの少なくとも１つを介して出力し、前記患者データ取得システムにより取得される前記患者データに少なくとも部分的に基づき生成される患者オーディオモニタ信号を、前記第１及び第２のオーディオシステムの少なくとも１つを使用して出力する制御システムとを有し、
前記制御システムが、前記第１のオーディオシステムを動作させるための第１のオーディオ構成と、前記第２のオーディオシステムを動作させるための第２のオーディオ構成とでプログラムされる１つ又は複数のプロセッサを含む、患者監視システム。
【請求項２】
前記第１及び第２のオーディオ構成がそれぞれ所定のパラメータを持ち、前記第１のオーディオ構成の前記所定のパラメータは、前記第２のオーディオ構成の前記所定のパラメータとは独立している、請求項１に記載の患者監視システム。
【請求項３】
前記所定のパラメータが、アラーム音のタイプとアラーム音の音量とを含む、請求項２に記載の患者監視システム。
【請求項４】
前記所定のパラメータの各々が個々に構成可能である、請求項２又は３に記載の患者監視システム。
【請求項５】
前記患者オーディオモニタ信号が前記第１及び第２のオーディオシステムの少なくとも１つにより出力されることを保証するため、前記制御システムが、前記第１及び第２のオーディオシステムの一方から前記第１及び第２のオーディオシステムの他方へ前記患者オーディオモニタ信号を転送する、請求項４に記載の患者監視システム。
【請求項６】
前記制御システムが、前記患者オーディオモニタ信号を出力している前記第１及び第２のオーディオシステムの１つの故障を検出し、前記故障の検出に基づき、前記第１及び第２のオーディオシステムの他方に前記患者オーディオモニタ信号を転送する、請求項１乃至５の任意の一項に記載の患者監視システム。
【請求項７】
前記患者室の外側に配置される第３の患者モニタディスプレイと、
前記患者室の外側の前記第３の患者モニタディスプレイと共に配置される第３のオーディオシステムとを更に含み、
前記第３のオーディオシステムも、前記制御システムにより制御される、請求項１乃至７の任意の一項に記載の患者監視システム。
【請求項８】
前記制御システムが、前記第１の患者モニタディスプレイを作動させるための第１の視覚的構成と、前記第２の患者モニタディスプレイを作動させるための第２の視覚的構成とでプログラムされる前記１つ又は複数のプロセッサを含む、請求項１乃至８の任意の一項に記載の患者監視システム。
【請求項９】
患者を監視する患者監視システムであって、
複数の患者の生理学的センサを介して患者データを取得する患者データ取得システムと、
第１の患者モニタディスプレイと、
第２の患者モニタディスプレイと、
前記第１の患者モニタディスプレイに組み込まれる、又は動作可能に接続される第１のオーディオシステムと、
前記第２の患者モニタディスプレイに組み込まれる、又は動作可能に接続される第２のオーディオシステムと、
前記第１の患者モニタディスプレイ及び前記第２の患者モニタディスプレイの少なくとも１つを介して、前記患者データ取得システムにより取得された患者データを出力し、前記患者データ取得システムにより取得された患者データに少なくとも部分的に基づき生成された患者オーディオモニタ信号を、前記第１及び第２のオーディオシステムの少なくとも１つを使用して出力するようプログラムされる制御システムとを有し、
前記第１のオーディオ制御システムが、前記第１及び第２のオーディオシステムの対応する１つに関連付けられる第１のオーディオ構成及び第２のオーディオ構成を制御するようプログラムされる１つ又は複数のプロセッサを含む、患者監視システム。
【請求項１０】
前記制御システムが、
前記患者オーディオモニタ信号の出力の動作状態を検出し、
前記患者オーディオモニタ信号の出力の動作状態の喪失を検出することに基づき、前記第１及び第２のオーディオシステムの１つから前記第１及び第２のオーディオシステムの他方に前記患者オーディオモニタ信号を転送する、請求項１０に記載の患者監視システム。
【請求項１１】
前記第１のオーディオシステムが、前記第１の患者モニタディスプレイに組み込まれ、
前記第２のオーディオシステムは、前記第２の患者モニタに組み込まれる、請求項１０に記載の患者監視システム。
【請求項１２】
前記第１の患者モニタディスプレイ及び前記第１のオーディオシステムが、患者室内に配置され、
前記第２の患者モニタディスプレイ及び前記第２のオーディオシステムは、前記患者室外に配置される、請求項１０に記載の患者監視システム。
【請求項１３】
前記第１及び第２のオーディオ構成の各々が所定のパラメータを持ち、前記第１のオーディオ構成の前記所定のパラメータは、前記第２のオーディオ構成の前記所定のパラメータとは異なる、請求項１０に記載の患者監視システム。
【請求項１４】
前記第１及び第２のオーディオ構成の前記所定のパラメータが、アラーム音のタイプ及びアラームの音量を含み、前記所定のパラメータの各々は、個別に構成可能である、請求項１４に記載の非一時的記憶媒体。
【請求項１５】
第１のオーディオシステムが、前記前記第１及び第２のオーディオシステムの少なくとも１つの故障を検出する、請求項１０乃至１５の任意の一項に記載の非一時的記憶媒体。
【請求項１６】
前記制御システムが、前記故障の検出に基づき、前記第１及び第２のオーディオシステムの１つの処理を、前記第１及び第２のオーディオシステムの他方に転送する、請求項１６に記載の非一時的記憶媒体。
【請求項１７】
前記患者室の外部に配置され、前記第２のオーディオシステムから離間された第３のオーディオシステムを更に含み、前記第３のオーディオシステムが、前記制御システムにより制御される第３の患者モニタディスプレイを含む、請求項１０乃至１７の任意の一項に記載の非一時的記憶媒体。
【請求項１８】
前記制御システムが、前記第１及び第２の患者モニタディスプレイの対応する１つの第１の視覚的構成及び第２の視覚的構成を制御するようプログラムされる１つ又は複数のプロセッサを更に含み、前記第１及び第２の視覚的構成が、色と強度とを含むパラメータを備える少なくとも１つの視覚アラームを含む、請求項１０乃至１８の任意の一項に記載の非一時的記憶媒体。
【請求項１９】
前記制御システムが、前記第１及び第２の患者モニタディスプレイの一方の処理を、前記第１及び第２の患者モニタディスプレイの他方に移し、前記第１及び前記第２の患者モニタディスプレイの少なくとも１つが連続的に作動される、請求項１９に記載の非一時的記憶媒体。
【請求項２０】
患者室における患者を監視する方法において、
前記患者室の内部に配置されるオーディオシステムと、前記患者室の内部に配置される患者モニタディスプレイと、前記患者室の外部に配置されるオーディオシステムと、前記患者室の外部に配置される患者モニタディスプレイとの少なくとも１つを使用して、患者モニタ信号を出力するステップであって、前記患者室の内部に配置されるオーディオシステムを使用して前記患者モニタ信号を出力するとき、第１のオーディオ構成を使用し、前記患者室の外部に配置されるオーディオシステムを使用して前記患者モニタ信号を出力するとき、第２のオーディオ構成を使用する、ステップと、
前記患者室の内部に配置されるオーディオシステムと前記患者室の外部に配置されるオーディオシステムとの少なくとも１つを用いて、前記患者モニタ信号が出力されることを保証するため、前記患者室の内部に配置されるオーディオシステム及び前記患者室の外部に配置されるオーディオシステムを電子的にリンクするステップとを有する、方法。
【請求項２１】
ユーザインターフェースを提供するステップを更に有し、
前記ユーザインターフェースを介して、前記患者室の内部に配置されるオーディオシステムで使用される第１のオーディオ構成と、前記患者室の外部に配置されるオーディオシステムで使用される第２のオーディオ構成とを、ユーザが独立して構成することができる、請求項２１に記載の方法。
【発明の詳細な説明】
【技術分野】
【０００１】
本願は一般に、医療監視デバイス、医療監視音声及び映像システム、及び関連技術に関する。しかしながら、それは、他の使用シナリオにおける用途も見い出し、上述した用途に必ずしも限定されるものではない点を理解されたい。
【背景技術】
【０００２】
クリティカルケアユニットでの使用のための患者モニタは典型的には、様々な生理的（又はバイタルサイン）センサ、例えば心電図（ＥＣＧ）又は他の心臓監視センサ、血圧センサ、末梢毛細血管酸素飽和度（ＳｐＯ２）センサ、呼吸センサなどに関する入力と、リアルタイムにバイタルサイン読み出し値及び／又は時間に対する最近の読み出し値をプロットしたトレンドラインを表示する表示デバイスと、ユーザが表示されたソフトボタンを押すときボタンのクリックがシミュレートされ、アラーム及び他の音声情報を出力するオーディオシステムとを含む。患者モニタは、流体注入、機械的呼吸の間の空気流などといった治療システムの重要な変数を監視することもできる。従来、患者モニタは、患者モニタに有線接続されたバイタルサインセンサと共に患者室に設置される自己完結型ユニットである。しかし、患者の周囲の配線量を減らすため無線接続がますます利用される。
【発明の概要】
【発明が解決しようとする課題】
【０００３】
この構成の難点は、患者モニタにより出力される音声アラームが、患者を妨害又は覚醒させる可能性があることである。音声アラームが低い音量に設定されることを可能にするなど、患者の騒音障害を軽減するためさまざまな対策が講じられることができる。しかしながら、患者監視オーディオシステムの機能性は、患者の健康にとって非常に重要であり、いくつかのアラームは、本質的に生命に不可欠であり、そのような患者モニタの音声アラームは、患者の安全を危うくする点から、オフにされる又はディスエーブルにされることが許されるべきではない。更に、患者モニタのオーディオシステムは、オーディオシステムの故障を検出するため、いくつかの、例えば音量レベル又はスピーカ電流センサ等の自己監視能力を含むことができる。オーディオシステムの故障が、モニタに表示される点滅警告により、又は極端な場合、モニタを真っ白にすることにより示されることができる。
【０００４】
患者モニタを患者室に配置する際の別の問題は、患者への断続的な訪問中を除き、それが、医療従事者により容易に観察されない点にある。従って、医師又は看護師は、患者室から離れた別の部屋にいる場合、アラームを聞く／見ることができない場合がある。これが対処される１つの方法は、大きな患者室の窓を採用することである。その結果、通路にいる医療関係者が、通路から患者及び患者モニタを見ることができる。これは、不完全な解決策である。なぜなら、患者モニタが、比較的遠くにあり、窓から離れている場合があり、又は窓での反射が、患者モニタディスプレイの表示を不鮮明にする場合があるからである。斯かるウィンドウニングは、音声アラームの知覚可能性を解決しない。
【０００５】
別の部分的な解決策は、例えば、通路に配置されるモニタといった１つ若しくは複数のセカンダリモニタを提供し、及び／又はナースステーションで患者モニタをミラーリングし、及び／又は患者の看護師により運ばれるスマートフォン若しくは他のモバイルデバイスにロードされたアプリケーションプログラム（「アプリ」）を提供することである。斯かるセカンダリモニタは一般に、重篤患者モニタの厳しい信頼性要件を満たすことは要求されない。斯かるシステムでは、医療従事者は、時々、様々な警報をオフにすることができ、又はデバイスを完全に「ミュート」することができ（例えば、「サイレント」モードに設定された携帯電話）、無線接続は予告なしに失われることがある。
【０００６】
もう１つの難点は、患者室のモニタと通路のモニタとの間にオーディオ干渉又はオーバーラップが存在する場合がある点にある。これは、不要なノイズ及びクリティカルケア環境への混乱を招く可能性がある。代替方法は、通路モニタに音声を提供しないことであるが、これは、医療従事者に警告を発する際の有効性を低下させる。
【０００７】
本願は、上述の問題及び他の問題を克服する、新規かつ改良された方法及びシステムを提供する。
【０００８】
従来の患者モニタディスプレイは、患者室において可視であり、通常、部屋のガラス窓を通して患者室外の通路から見える。追加的又は代替的に、部屋内のモニタの表示をミラーリングする別個のモニタディスプレイが患者室の外の通路に配置されることができる。この通路モニタディスプレイは、ソフトボタン又は他のユーザ入力を含むこともできる。これもまた、室内の患者モニタの表示をミラーリングする。
【０００９】
更に既知の拡張として、患者モニタアラームが、ナースステーションで、及び／又は患者に割り当てられた看護師が携行するページャを介してミラーリングされることができる。しかしながら、これらは、「セカンダリ」システムと考えられ、室内の患者モニタの「プライマリ」オーディオシステムの厳しい信頼性要件を満たすことは要求されない。これらのセカンダリオーディオシステムは通常、例えば生命に危険な（「赤」の）アラームだけを鳴らすなど、より少ない情報を提供する。セカンダリオーディオシステムの障害は、安全上重要なイベントとはみなされない。
【００１０】
医療従事者は、プライマリオーディオ球を患者室の外に分散して拡張させることを望むかもしれない。最も一般的には、看護師が一般的にいる患者室外の通路にそれを拡張させることが望ましい。別の例として、検疫では、プライマリオーディオ球が非滅菌監視領域に拡張されることができる。プライマリオーディオ球を拡張する１つの方法は、室内モニタのオーディオシステムの音量を単純に大きくして、通路内で聞くことができるようにすることである。しかし、これは、騒がしいクリティカルケアユニットを作成し、患者にとっては邪魔になる。
【課題を解決するための手段】
【００１１】
様々な改善が、本書に開示される。
【００１２】
いくつかの実施形態では、独立したプライマリオーディオシステム（又は球）、例えば、通常の室内オーディオシステムと、別の通路オーディオシステムが提供される。この独立通路オーディオシステムは、プライマリオーディオシステムとしても機能し、室内の患者モニタオーディオシステムと同じ安全拘束条件を満たす必要がある。室内と通路のプライマリオーディオシステムは独立しているが、少なくとも１つのプライマリオーディオシステムが常に作動可能であることを保証するためリンクされる。例えば、看護師が患者に静かな環境を提供するため、室内オーディオシステムをオフにする（又はこのシステムの一部、例えば、赤色のアラームを室内においてアクティブにしたまま、黄色のアラームをオフにする）場合、これらのディスエーブルにされた室内アラームは、通路のプライマリオーディオシステムで自動的にイネーブルにされるべきである。
【００１３】
他の例示的な実施形態では、各プライマリオーディオシステムは個別に構成可能でなければならない。例えば、通路システムは、通常より騒々しい通路環境で聞こえるように、より高い音量設定を持つことができる。同様に、異なるオーディオサウンドが、異なるプライマリオーディオ球の所与のアラームのために使用されてもよい。１つのアプローチでは、各プライマリオーディオ球は、独自のデフォルトオーディオ設定を持ち、看護師は、２つのオーディオ球間を簡単に切り替える、又は同時に両方をアクティブにすることができる。看護師は好ましくは、特定の状況に適応するよう、デフォルトのオーディオ値の少なくともいくつかを調整することもできる。
【００１４】
一態様によれば、患者を監視する患者監視システムが提供される。患者監視システムは、複数の患者の生理学的センサを介して患者データを取得するよう構成される患者データ取得システムを含む。第１の患者モニタディスプレイは、患者室の内部に配置される。第２の患者モニタディスプレイが患者室の外側に配置される。第１のオーディオシステムは、患者室の内部の第１の患者モニタディスプレイと共に配置される。第２のオーディオシステムは、患者室の外の第２の患者モニタと共に配置される。制御システムは、患者データ取得システムにより取得された患者データを、第１の患者モニタディスプレイ及び第２の患者モニタディスプレイの少なくとも１つを介して出力するよう構成され、上記患者データ取得システムにより取得された患者データに少なくとも部分的に基づき生成された患者オーディオモニタ信号を、上記第１及び第２のオーディオシステムの少なくとも１つを使用して出力するよう更に構成される。制御システムは、第１のオーディオシステムを作動させるための第１のオーディオ構成と、第２のオーディオシステムを作動させるための第２のオーディオ構成とでプログラムされた１つ以上のプロセッサを含む。
【００１５】
別の態様によれば、患者を監視する患者監視システムが提供される。患者監視システムは、複数の患者の生理学的センサを介して患者データを取得するよう構成された患者データ取得システムを含む。患者監視システムはまた、第１の患者モニタディスプレイ及び第２の患者モニタディスプレイを含む。第１のオーディオシステムは、第１の患者モニタディスプレイに組み込まれるか、又は動作可能に接続される。第２のオーディオシステムは、第２の患者モニタに組み込まれるか、又は動作可能に接続される。制御システムは、患者データ取得システムにより取得された患者データを、第１の患者モニタディスプレイ及び第２の患者モニタディスプレイの少なくとも１つを介して出力し、患者データ取得システムにより取得された患者データに少なくとも部分的に基づき生成された患者オーディオモニタ信号を、第１及び第２のオーディオシステムの少なくとも１つを使用して出力するようにプログラムされる。第１のオーディオ制御システムは、第１及び第２のオーディオシステムの対応する１つに関連付けられる、第１のオーディオ構成と、別個の第２のオーディオ構成とを制御するようにプログラムされた１つ又は複数のプロセッサを含む。
【００１６】
別の態様によれば、患者室の患者を監視する方法が提供される。患者モニタ信号は、（１）患者室の内部に配置されたオーディオシステムと、患者室の内部に配置された患者モニタディスプレイと、（２）患者室の外部に配置されたオーディオシステムと、患者室の外部に配置された患者モニタディスプレイとの少なくとも一方を使用して出力される。この生成は、患者室内に配置されたオーディオシステムを使用して患者モニタ信号を出力するときは第１のオーディオ構成を使用し、患者室外に配置されたオーディオシステムを使用して患者モニタ信号を出力するときは第２のオーディオ構成を使用する。患者室の内部に配置されたオーディオシステムは、患者室の外部に配置されたオーディオシステムと電子的にリンクされ、患者室の内部に配置されたオーディオシステムと患者室の外部に配置されたオーディオシステムの少なくとも１つを使用して患者モニタ信号が出力されることが保証される。
【００１７】
１つの利点は、別個の部屋に独立したオーディオ／ビジュアル球が配置された医療モニタリングシステムにある。
【００１８】
別の利点は、１つのオーディオ／ビジュアル球から別のオーディオ／ビジュアル球に処理を転送することができる医療モニタリングシステムにある。
【００１９】
別の利点は、個別に構成可能な独立したオーディオ／ビジュアルシステムを備えた医療監視システムにある。
【００２０】
本発明の更に追加的な利点は、以下の詳細な説明を読み及び理解することにより当業者に理解されるだろう。
【図面の簡単な説明】
【００２１】
【図１】本開示の一実施形態における患者監視システムの平面表示を図式的に示す図である。
【図２】図１の患者監視システムの概略表示を示す図である。
【図３】代替構成における図１の患者監視システムを示す図である。
【図４】図１の患者ケアモニタの第１の例示的なフローチャートを示す図である。
【図５】図１の患者ケアモニタの第２の例示的なフローチャートを示す図である。
【発明を実施するための形態】
【００２２】
本発明は、様々な要素及び要素の配列の形式並びに様々なステップ及びステップの配列の形式を取ることができる。図面は、好ましい実施形態を説明するためだけにあり、本発明を限定するものとして解釈されるべきものではない。
【００２３】
図１を参照すると、患者室Ａに位置する患者Ｐを監視する患者監視システムが示される。患者監視システムは、患者データ（例えば、ＥＣＧ、血圧、呼吸などのバイタルサイン）を取得するため、患者室Ａに患者Ｐと共に配置された患者データ取得システム１２を含む。制御システム１４は、例えば、患者室Ａに配置された患者モニタディスプレイ１６及び関連するオーディオシステム１８を介して、又は例えば患者室Ａの外の廊下若しくは通路Ｂ、及び／若しくは休憩室Ｃなどの別の場所に配置された同様の出力ビデオ／オーディオデバイスを介して、様々な場所で取得システム１２により取得された患者データの分散した人間が知覚可能な視覚／音声出力を制御する。一般に、オーディオシステム１８は、内蔵スピーカ又は内蔵スピーカシステムとして患者モニタディスプレイ１６に組み込まれる。しかしながら、オーディオシステムが、患者モニタディスプレイと動作可能に接続されているが、物理的に別個のものであることも代替的に想定される。例えば、廊下Ｂでは、オーディオシステムが、廊下患者モニタディスプレイに関連して生成される音声を出力するパブリックアドレス（ＰＡ）スピーカを有することが適切であり得る。有利には、制御システム１４は、以下により詳細に説明されるように、患者監視システムの選択されたオーディオ及びビデオコンポーネントの動作を調整するよう構成される。
【００２４】
引き続き図１を参照し、図２を更に参照すると、第１の患者モニタディスプレイ１６は、組み込み式又は動作可能に接続された第１のオーディオシステム１８を持つ。同様に、第２の患者モニタディスプレイ２０は、組み込み式又は動作可能に接続された第２のオーディオシステム２２を持つ。様々な患者センサ（ＥＣＧ、血圧センサ、呼吸センサ、ＳｐＯ２センサなど、一般にブロック２８で示される）を介して患者データ取得システム１２により取得された患者データは、取得システム１２により、リアルタイム数値、トレンドライン（例えば、時間の関数としてのＥＣＧリードトレース、又はＳｐＯ２トレース）などとしてフォーマットされる。取得システム１２は、通常患者状態の劣化の可能性を示す、バイタルサインが許容範囲外になる場合、アラームをトリガすることもできる。こうして、例えば、取得システム１２は、心拍数が１５０ビート／分（又は他の何らかの上限閾値）を超えるか、又は５０ビート／分（又は他の下限閾値）を下回る場合にアラーム信号を出力することができる。オプションで、患者データは、バイタルサイン以外の患者データ、例えば、静脈内注入ポンプにより患者に供給される流体の注入速度を含むことができる。
【００２５】
例示的な第１の患者モニタディスプレイ１４は、オプションでユーザインターフェース２６を含むことができる。これは例えば、少なくとも１つの図示されたボタン若しくはスイッチ２６、他の何らかの物理的ユーザインターフェースデバイス（例えば、キーボード、トラックボール）、及び／又は１つ若しくは複数のソフトキー（これは、ソフトキー上での指のプレスを検出するため、タッチ感知ディスプレイを含むモニタディスプレイ１４の表示領域に表示される）である。
【００２６】
廊下又は通路Ｂに位置する第２の患者モニタディスプレイ２０は、第１の患者モニタディスプレイ１４と同様に構成されることができる。例えば、第２の患者モニタディスプレイ２０は、少なくとも１つのボタン、スイッチ又は他のユーザインターフェースデバイス２６を含む。
【００２７】
第１及び第２のオーディオシステム１８及び２２は、第１及び第２の患者モニタディスプレイ１８、２０に関連付けられ、それぞれ例えば、内蔵スピーカ、外部スピーカ（例えば通路ＰＡスピーカ）、又は音声、トーン、ビープ音若しくはバズを出力する他の任意の適切なデバイスとすることができる。第１のオーディオシステム１８は、患者室Ａに配置され、第２のオーディオシステム２２は、患者室Ａの外側、例えば通路Ｂに配置される。
【００２８】
図１及び図２の患者監視システムは、視覚／聴覚患者データが、第１の患者モニタディスプレイ１６及び組み込み式又は動作可能に接続された第１のオーディオシステム１８を介して出力されることができる点で、代替的又は追加的に、視覚／聴覚患者データが、第２の患者モニタディスプレイ２０及び組み込み式又は動作可能に接続された第１のオーディオシステム２２を介して出力されることができる点で、分散された出力を提供する。この分散された出力は、中央制御システム１４を用いて可能にされ、このシステムは、個別の第１の出力システム１６、１８及び第２の出力システム２０、２２に関連付けられる構成を記憶する。これらは典型的には、患者データ（即ち、患者センサ２８からの）及び患者データ取得システム１２の要素の起動／停止の関数として、１つ又は複数の推奨又は入力された患者監視オプション／注文を含む。制御システム１４は、構成を表示するディスプレイ３８（例えば、ＣＲＴディスプレイ、液晶ディスプレイ、発光ダイオードディスプレイなど）を備えるユーザインターフェースと、看護師又は他のユーザが、出力ごとに出力選択及び構成を入力及び／又は変更及び／又は選択するためのキーボード及びマウスといったユーザ入力デバイス４０とを含む。制御システム１４は、患者監視システムの動作を調整する。例えば、制御システム１４は、第１及び第２の患者モニタディスプレイ１６及び２０の１つ並びに／又は第１及び第２のオーディオシステム１８及び２２の１つの動作を、第１及び第２の患者モニタディスプレイ１６及び２０の他方並びに／又は第１及び第２のオーディオシステム１８及び２２の他方に転送することができる。そのために、制御システム１４は有利には、第１のオーディオシステム１６に関連付けられる第１のオーディオ構成４２と、第２のオーディオシステム２４に関連付けられる第２のオーディオ構成４４と、第１の患者モニタディスプレイ１４に関連付けられる第１の視覚的構成４６と、第２の患者モニタディスプレイ２０に関連付けられる第２の視覚的構成４８とを、非一時的メモリ（例えば、ソリッドステートメモリ、磁気ハードドライブなど）に格納する。これは、以下に詳細に説明される。
【００２９】
制御システム１４は、前述の機能を実現するコンピュータ実行可能命令を実行する１つ又は複数の電子プロセッサ５０を含み、コンピュータ実行可能命令は、プロセッサ５０に関連付けられる１つ又は複数の非一時的メモリ５２に格納される。更に、制御システム１４の要素は、１つ又は複数のプロセッサ５０にインタフェースを提供する１つ又は複数の通信ユニット５４を含む。このインタフェースを介して、様々な患者データ出力デバイス１６、１８、２０、２２と通信が行われる。
【００３０】
制御システム１４は、取得システム１２及び出力システム１６、１８及び２０、２２から分離した要素として示される。しかしながら、これらのシステムは、様々な態様で統合されてもよい点を理解されたい。
【００３１】
例えば、１つの考えられる実施形態では、患者室Ａ内に配置された患者モニタは、患者データ取得システム１２を実現するセンサ入力回路（例えば、センサ入力カップリング、アナログセンサを接続するためのアナログ／デジタル変換器など）を備えるコンピュータ又は他の電子データ処理デバイスと、第１の患者モニタディスプレイ１６を実現し、内蔵スピーカを介して第１のオーディオシステム１８を更に実現する患者室Ａ内に位置する一体型又は接続されたディスプレイデバイスとを有する。この実施形態では、患者室Ａ内に配置されたコンピュータ又は他の電子データ処理デバイスの電子プロセッサ（例えば、マイクロプロセッサ又はマルチコアプロセッサ）は、制御システム１４を実現するよう更にプログラムされ、その結果、ユーザ入力デバイス２６及びディスプレイ３２は、ディスプレイ３８を実現し、第１の患者モニタディスプレイ１６のユーザインターフェース２６は、それぞれ制御システム１４のディスプレイ３８及びユーザインターフェース４０である。この実施形態では、患者モニタのメインユニットは、患者室Ａ内に配置され、取得システム１２、第１患者モニタディスプレイ１６及びオーディオシステム１８、並びに制御システム１４を含み、制御システム１４は、例示的な第２の患者モニタディスプレイ２０及びオーディオシステム２２などの追加的なリモートディスプレイ／オーディオ要素が接続されることを可能にする。
【００３２】
図１を参照すると、制御システム１４は、第１及び第２のオーディオシステム１８及び２２の少なくとも１つを使用して、少なくとも患者オーディオモニタ信号を出力するよう構成される。そのため、第１及び第２のオーディオ構成４２及び４４の各々は、所定のパラメータを持つ。第１のオーディオ構成４２の所定のパラメータは、第２のオーディオ構成４４の所定のパラメータとは異なる。一例では、第１及び第２のオーディオ構成４２及び４４のそれぞれの所定のパラメータは、アラーム音の種類及びアラーム音の音量を含むことができる。所定のパラメータはそれぞれ個別に設定可能である。言い換えると、第１のオーディオ構成４２のアラーム音の種類は、第１のタイプのサウンド（例えば、高音の「ピング」サウンド）であり得る一方、第２のオーディオ構成４４のアラーム音の種類は、第１のタイプの音とは異なる第２のタイプのサウンド（例えば、低音の「ブーム」音）とすることができる。
【００３３】
他の実施形態では、制御システム１４は、第１及び第２の患者モニタディスプレイ１６及び２０の少なくとも１つを使用して、少なくとも患者視覚モニタ信号を出力するよう構成される。そのため、第１及び第２の視覚構成４６及び４８の各々は、所定のパラメータを持つ。第１の視覚構成プロセッサ４６の所定のパラメータは、第２の視覚構成プロセッサ４８の所定のパラメータとは異なる。一例では、第１及び第２の視覚構成プロセッサ４６及び４８のそれぞれの所定のパラメータは、色及び強度を含むことができる。所定のパラメータはそれぞれ個別に設定可能である。言い換えると、第１の視覚構成プロセッサ４６の色は第１のタイプの色（例えば黄色）であり、第２の視覚構成プロセッサ４８の色は、第１のタイプの色とは異なる第２のタイプの色（例えば赤色）とすることができる。
【００３４】
図１及び図３に示されるように、第１の患者モニタディスプレイ１６及び第１のオーディオシステム１８は、第１の領域（即ち、患者室Ａ）に配置され、第２の患者モニタディスプレイ２０及び第２のオーディオシステム２２は、第１の領域の外側の第２の領域（即ち、ナースステーションＢのような患者室の外の領域）に配置される。いくつかの実施形態では、第３の患者モニタディスプレイ５６及び第３のオーディオシステム５８が、第３の領域（即ち休憩室Ｃ）に配置されることができる。第３の患者モニタディスプレイ５６及び第３のオーディオシステム５８は、それぞれ第１／第２の患者モニタディスプレイ１６／２０及び第１／第２のオーディオシステム１８／２２と同様に構成されることができる。第３の患者モニタディスプレイ５６及び第３のオーディオシステム５８は、（即ち、対応する構成プロセッサ（図示省略）を介して）制御システム１４に動作可能に接続される。制御システム１４は、制御システム１４が、各患者モニタディスプレイ１６、２０及び５６及び各オーディオシステム１８、２２、及び５８と通信している限り、任意の適切な領域（例えば、医師のオフィス、サーバルームＤ、ナースステーションＢ、休憩室Ｃなど）に配置されることができる。
【００３５】
１つの例示的な実施形態では、制御システム１４は、第１及び第２のオーディオシステム１８及び２２（又は存在する場合第３のオーディオシステム５８）の一方の動作を、第１及び第２のオーディオシステム１８及び２２の他方から転送するよう構成される。その結果、第１及び第２のオーディオシステム１８及び２２の少なくとも１つが連続的に作動される。これは、図１に概略的に示される。ここで、実線は、制御システム１４から第１の患者モニタディスプレイ／第１のオーディオシステム１６／１８に延び、破線は、制御システム１４から第２の患者モニタディスプレイ／オーディオシステム２０／２２及び第３の患者モニタディスプレイ／第３のオーディオシステム５６／５８のそれぞれに延びる。例えば、第１のオーディオシステム１８は、看護師が患者室Ａに入るとき第１の患者モニタディスプレイ１６上のボタン２６の１つを押すことにより、ユーザ（即ち、看護師）によりオンにされることができる。これは図１において、第１のオーディオシステム１８から延びる破線で概略的に示される。結果として、看護師が患者室Ａ内にいる間（即ち、部屋の清掃中又は患者への介助中）、看護師は、第１のオーディオシステム１８から、患者モニタオーディオ信号（例えば、音声アラーム）６０を聞くことができる。
【００３６】
看護師が患者室Ａを離れると、一例では、看護師は、第１のオーディオシステム１８を現在の状態のままにすることができる（即ち、アラーム６０が患者室Ａにおいてまだ放出される）。その結果、看護師が患者室Ａの近く（即ち、廊下又は別の隣接する患者室）にいる場合、看護婦はアラーム６０を聞き続けることができる。別の例では、図４に示されるように、看護師は、ボタン２６の１つを押す又はアクティベートする。その結果、患者データ取得システム１２のオーディオ出力（及びソフトキー「クリック」などの患者モニタによる他の任意のオーディオ出力）が、第１のオーディオシステム１８から第２のオーディオシステム２２（又は第３のオーディオシステム５８）に転送され、アラーム６０は、ナースステーションＢ又は休憩室Ｃのいずれかで、第２又は第３のオーディオシステム２２又は５８を介して発信される。これは、図３において概略的に示され、そこでは、実線が、制御システム１４から第２の患者モニタディスプレイ／第２のオーディオシステム２０／２２に延び、破線が、制御システム１４から、第１の患者モニタディスプレイ／第１オーディオシステム１６／１８及び第３の患者モニタディスプレイ／第３のオーディオシステム５６／５８のそれぞれに延びる。有利には、第１のオーディオシステム１８から異なるオーディオシステム２２又は５８へのアラーム６０の転送は、患者の床のノイズを減少させ、これにより、医療スタッフが特定の患者室にいないときでも患者の監視が可能にされ、かつユーザの快適さが向上される。
【００３７】
別の例示的な実施形態では、制御システム１４は、第１及び第２のオーディオシステム１８及び２２（又は、存在する場合、第３のオーディオシステム５８）の少なくとも１つの故障を検出するよう構成される。例えば、第１、第２、又は第３のオーディオシステム１８、２２又は５８は、損傷を受ける（即ち、磨耗及び裂傷、落下又は衝突、液体のこぼれなど）、又は誤作動を起こす可能性がある（即ち、干渉、制御システム１４との接続不良などにより）。制御システム１４は、第１、第２及び第３のオーディオシステム１８、２２及び５８の動作状態を継続的に検出する。一例では、これらの動作状態の１つは、上に列挙した状態のいずれかが発生したときに「故障」動作状態となり得る。第１、第２又は第３のオーディオシステム１８、２２又は５８の１つが故障する場合、制御システム１４は、患者データ取得システム１２のオーディオ出力（及び患者モニタによる他の任意のオーディオ出力、例えば、シミュレートされたソフトキー「クリック」）の処理を、故障したオーディオシステム（即ち、図１に示されるような第１のオーディオシステム１８）から別のオーディオシステム（即ち、図３に示される第２のオーディオシステム２２）に自動的に移す。その結果、アラーム６０が生成され、「アクティブ」オーディオシステムで出力される。有利には、制御システム１４は、他のオーディオシステムの少なくとも１つが故障した場合でも、オーディオシステム１８、２２、及び５８の少なくとも１つが連続的にアクティブである（即ち、アラーム６０を出力する）ことを保証する。
【００３８】
同様に、更なる例示的な実施形態では、制御システム１４は、第１及び第２の患者モニタディスプレイ１６及び２０（又は、存在する場合は第３のオーディオシステム５８）の一方の処理を、第１及び第２の患者モニタディスプレイ１６及び２０の他方から移す。その結果、第１及び第２の患者モニタディスプレイ１６及び２０の少なくとも１つが連続的に作動される。これは、図１に概略的に示され、実線は制御システム１４から第１の患者モニタディスプレイ／第１のオーディオシステム１６／１８に延び、破線は制御システム１４から第２の患者モニタディスプレイ／オーディオシステム２０／２２及び第３の患者モニタディスプレイ／第３のオーディオシステム５６／５８にそれぞれ延びる。例えば、第１の患者モニタディスプレイ１６は、看護師が患者室Ａに入るとき第１の患者モニタディスプレイ１６上のボタン２６の１つを押すことにより、ユーザ（即ち、看護師）によりオンにされることができる。これは、図１に概略的に示され、破線が、第１の患者モニタディスプレイ１６から延びる。結果として、看護師が患者室Ａ内にいる間（即ち、部屋の清掃中又は患者への介助中）、看護師は、第１の患者モニタディスプレイ１６から患者モニタの視覚信号（例えば、赤い画面の視覚アラーム）を知覚することができる。
【００３９】
看護師が患者室Ａを離れるとき、一例では、看護師は、第１の患者モニタディスプレイ１６を現在の状態のままに（即ち、アラーム６２が依然として患者室Ａにおいて放出されるように）することができ、その結果、患者室Ａに近接したまま（即ち、廊下又は別の隣接する患者室にいる）であれば、看護師はアラーム６２を依然として知覚することができる。別の例では、看護師は、ボタン２６の１つを押す又はアクティベートすることができ、患者データ取得システム１２により取得された患者データの表示が、第１の患者モニタディスプレイ１６から第２の患者モニタディスプレイ２０（又は、第３の患者モニタディスプレイ５６）に移される。その結果、アラーム６２は、ナースステーションＢ又は休憩室Ｃのいずれかで、第２又は第３のオーディオシステム２０又は５６を介して発信される。これは、図３に概略的に示され、実線は制御システム１４から第２の患者モニタディスプレイ／第２のオーディオシステム２０／２２に延び、点線は制御システム１４から第１の患者モニタディスプレイ／第１オーディオシステム１６／１８及び第３の患者モニタディスプレイ／第３のオーディオシステム５６／５８のそれぞれに延びる。有利なことに、第１の患者モニタディスプレイ１６から別の患者モニタディスプレイ２０又は５６へのアラーム６２の転送は、患者の床の上の光を減少させ、これにより、ユーザの快適さを向上しつつ、医療スタッフが特定の患者室にいないときでも患者を監視することが可能にされる。
【００４０】
別の例示的な実施形態では、制御システム１４は、第１及び第２の患者モニタディスプレイ１６及び２０（又は第３の患者モニタディスプレイ５６）の少なくとも１つの障害を検出するよう構成される。例えば、第１、第２又は第３の患者モニタディスプレイ１６、２０又は５６は、損傷を受ける（即ち、摩耗及び裂傷、落下又は衝突、液体のこぼれなど）、又は誤作動を起こす可能性がある（即ち、干渉、制御システム１４との接続不良など）。これらの状態のいずれかが生じると、制御システム１４は、第１及び第２の患者モニタディスプレイ１６及び２０の動作状態を検出する。一例では、これらの動作状態の１つは、「故障」動作状態とすることができる。第１及び第２の患者モニタディスプレイ１６及び２０の１つが故障すると、制御システム１４は、患者データ取得システム１２により取得された患者データの表示を、故障した患者モニタディスプレイ（即ち、図１に示される第１の患者モニタディスプレイ１６）から別の患者モニタディスプレイ（即ち、図３に示される第２の患者モニタディスプレイ２０）に自動的に移す。その結果、アラーム６２が生成され、「アクティブな」患者モニタディスプレイで出力される。有利なことに、制御システム１４は、他の患者モニタディスプレイの少なくとも１つが故障した場合でも、患者モニタディスプレイ１６、２０及び５６の少なくとも１つが連続的にアクティブである（即ち、アラーム６２を出力する）ことを保証する。
【００４１】
図４を参照すると、患者を監視する例示的な方法１００が概略的に示される。方法１００は、患者室内に配置された少なくとも１つのオーディオシステム１８と、患者室外に配置された少なくとも１つのオーディオシステム２２との少なくとも１つを使用して、少なくとも１つの患者モニタ信号６０を生成するステップであって、少なくとも１つの患者モニタ信号６０が、少なくとも１つの所定のパラメータを含む、ステップ（ステップ１０２）と、制御システム１４で第１及び第２のオーディオシステム１８、２２の少なくとも１つを使用して、所定のパラメータに基づき患者モニタ信号６０を出力するステップ（ステップ１０４）と、制御システム１４で少なくとも１つのオーディオシステム１８、２２の動作状態を検出するステップ（ステップ１０６）と、制御システム１４でオーディオシステム１８、２２の１つの処理をオーディオシステム１８、２２の別の１つに転送する（ステップ１０８）ステップとを含む。
【００４２】
図５を参照すると、患者を監視する例示的な方法２００が概略的に示される。方法２００は、患者室内に配置された少なくとも１つの患者モニタディスプレイ１６と、患者室外に配置された少なくとも１つの患者モニタディスプレイ２０との少なくとも１つを使用して、少なくとも１つの患者モニタ信号６２を生成するステップであって、少なくとも１つの患者モニタ信号６２が、少なくとも１つの所定のパラメータを含む、ステップ（ステップ２０２）と、制御システム１４で患者モニタディスプレイ１６、２０の少なくとも１つを使用して、所定のパラメータに基づき患者モニタ信号６２を出力するステップ（ステップ２０４）と、制御システム１４で少なくとも１つの患者モニタディスプレイ１６、２０の動作状態を検出するステップ（ステップ２０６）と、制御システム１４で患者モニタディスプレイ１６、２０の１つの動作を患者モニタディスプレイ１６、２０の他の１つに転送するステップ（ステップ２０８）とを含む。
【００４３】
本書で使用されるメモリは、非一時的なコンピュータ可読媒体；磁気ディスク又は他の磁気ストレージ媒体；光学ディスク又は他の光学ストレージ媒体；ランダムアクセスメモリ（ＲＡＭ）、リードオンリーメモリ（ＲＯＭ）又は他の電子メモリデバイス又はチップ又は動作可能に相互接続されるチップのセット；格納された命令がインターネット／イントラネット又はローカルエリアネットワークを介して取得されることができるインターネット／イントラネットサーバ；等の１つ又は複数を含む。更に、本書において使用されるプロセッサは、マイクロプロセッサ、マイクロコントローラ、グラフィック処理ユニット（ＧＰＵ）、特定用途向け集積回路（ＡＳＩＣ）、フィールドプログラム可能ゲートアレイ（ＦＰＧＡ）、携帯情報端末（ＰＤＡ）、携帯スマートフォン、携帯型腕時計、コンピューティンググラス及び類似する体着用の、埋め込まれた又は、搬送されるモバイルギアの１つ又は複数を含み、ユーザ入力デバイスは、マウス、キーボード、タッチスクリーンディスプレイ、１つ又は複数のボタン、１つ又は複数のスイッチ、１つ又は複数のトグル等の１つ又は複数を含み、表示デバイスは、液晶ディスプレイ、ＬＥＤディスプレイ、プラズマディスプレイ、投影ディスプレイ、タッチスクリーンディスプレイなどの１つ又は複数を含む。言い換えると、患者監視システム１０は、プロセッサを制御するためのソフトウェアを運ぶ非一時的コンピュータ可読記憶媒体であってもよい。
【００４４】
本発明が、好ましい実施形態を参照して説明されてきた。上記の詳細な説明を読み及び理解すると、第三者は、修正及び変更を思いつくことができる。それらの修正及び変更が添付の特許請求の範囲又はその均等物の範囲内にある限り、本発明は、すべての斯かる修正及び変更を含むものとして構築されることが意図される。
【図１】
2018513718.tif 000003
【図２】
2018513718.tif 000004
【図３】
2018513718.tif 000005
【図４】
2018513718.tif 000006
【図５】
2018513718.tif 000007
【国際調査報告】
2018513718.tif 000008
2018513718.tif 000009
2018513718.tif 000010